(57)【要約】      （修正有）【課題】消防用ホースなど口金の突いた大径のホースを乾燥させる際に、風などによる揺動で端末の口金が衝突して変形したり破損するのを防止するホースプロテクタを提供する。【解決手段】本体４０の端末に金属の口金２０を有するホースの保護具であり、概ね円形であってホース口金外周部より大径で一部に第１の開口部を有する外周保護リング部３ａ，３ｂと、概ね円形であってホース口金の最大直径より小径で一部に第２の開口部を有する係止リング部とを有し、前記第１の開口部と第２の開口部とが連続してホース挿入口を形成し、かつこのホース挿入口の大きさはホース本体４０が通過でき口金２０が通過できない大きさに設定されている。【選択図】図４
0003149608.tif 000002
【実用新案登録請求の範囲】
【請求項１】
本体の端末に金属の口金を有するホースの保護具であり、
概ね円形であってホース口金外周部より大径で一部に第１の開口部を有する外周保護リング部と、
概ね円形であってホース口金の最大直径より小径で一部に第２の開口部を有する係止リング部とを有し、
前記第１の開口部と第２の開口部とが連続してホース挿入口を形成し、かつこのホース挿入口の大きさはホース本体が通過でき口金が通過できない大きさに設定されているホースプロテクタ。
【請求項２】
前記外周保護リング部と係止リング部とは棒状の金属により形成されている請求項１のホースプロテクタ。
【請求項３】
前記外周保護リング部は、少なくとも２つの環状金属棒体により形成され、さらに外周保護リング部の外周部から鉛直方向に延在する垂下用枠体を有する請求項１または２のホースプロテクタ。
【請求項４】
前記外周保護リング部側にホースの口金を配置し、ホース挿入口にホース本体を挿入した後、ホースを口金が下になるように吊り下げ、係止リング部がホース口金により係止し、かつ外周保護リング部がホース口金を覆う状態で垂下される請求項１〜３のいずれかのホースプロテクタ。
【考案の詳細な説明】
【技術分野】
【０００１】
本考案は、消防、消火などに用いられ、比較的大径で、消火液等の液体を輸送するホースの端末である口金を保護するホースプロテクタに関する。
【背景技術】
【０００２】
消防署等が使用する消防用ホースは、管状の布ないし織物製の本体であるジャケットを有し、必要によりその内側にゴムや合成樹脂のコーティングを設け、このコーティング等によって液漏れを確実に防止できるようになっている。また、ジャケットの外面に合成樹脂製の保護層を設け、ジャケットの耐摩耗性を高めた構造のものもある。
【０００３】
消防ホースは、ホース本体が布製の筒織りであるため、偏平に折り畳んでロール状に巻き取ることができ、収納性や運搬性に優れているという特長がある。
【０００４】
しかし、布製のホース本体をそのまま使用することは、消火液の供給やホース同士の接続、消火液の散布などの実用面で極めて困難である。そこで、一定の単位長さの両端部に連結金具を取り付けたり、先端に消火用の金属製などのノズルを付設けて端末処理をしている。両端部に連結金具を取り付けた単位長さのホースは、連結金具を介して火災現場で必要な長さに連結したりして使用される。
【０００５】
また、ホース本体が布製の筒織りであるため、水等の消火用の液体に濡れると織物の繊維に液体が染みたり、外面に付着したりして、重くなったり、腐食や臭いの原因となる。また、ジャケットの内壁に付着した液体も放置すれば同様の問題を生じる。このため、一旦使用したホースは、必要により洗浄を行い、通常屋外で干して乾燥させ、水などの液体成分を除去している。屋外で干す理由は、長尺のホースを干すための空間を屋内で確保することは困難だからである。
【０００６】
屋外でホースを干す場合、通常高い位置に配置された棒や梁などの構造物にホース中央部付近を掛けて、２つ折りにするように両端を垂下させた状態で放置する。しかし、この状態のホースに風が当たるとホースは少なからず揺動する。そして、この揺動が激しくなると、ホースの口金同士が衝突したり、棒や梁などを支える構造物や、建物等に衝突して、口金が変形したり破損することがあった。
【０００７】
消防用ホースの継手金具とその端末を保護するための器具として、例えば実公昭５７−００３３２６号公報に開示された、ホースの外周に保護のためのリングを装着するものが知られている。しかし、上記のようにホースを干す際の破損を考慮したものではなく、ホースを移動する際の傷つき等を防止するものであり、揺動により口金同士が衝突する衝撃から保護するには不十分である。しかも、容易に脱着することもできない。
【先行技術文献】
【特許文献】
【０００８】
【特許文献１】実公昭５７−００３３２６号公報
【考案の概要】
【考案が解決しようとする課題】
【０００９】
解決しようとする問題点は、消防用ホースなど口金の突いた大径のホースを乾燥させる際に、風などによる揺動で端末の口金が衝突して変形したり破損するのを防止することである。
【課題を解決するための手段】
【００１０】
本考案は、上記課題を解決するため以下の構成とした。
（１）  本体４０の端末に金属の口金２０，３０を有するホースの保護具であり、
概ね円形であってホース口金外周部より大径で一部に第１の開口部７を有する外周保護リング部３ａ，３ｂと、
概ね円形であってホース口金の最大直径より小径で一部に第２の開口部８を有する係止リング部２とを有し、
前記第１の開口部７と第２の開口部８とが連続してホース挿入口１１を形成し、かつこのホース挿入口１１の大きさはホース本体４０が通過でき口金２０，３０が通過できない大きさに設定されているホースプロテクタ。
（２）  前記外周保護リング部３ａ，３ｂと係止リング部２とは棒状の金属により形成されている上記（１）のホースプロテクタ。
（３）  前記外周保護リング部３ａ，３ｂは、少なくとも２つの環状金属棒体により形成され、さらに外周保護リング部３ａ，３ｂの外周部から鉛直方向に延在する垂下用枠体４，６を有する上記（１）または（２）のホースプロテクタ。
（４）  前記外周保護リング部３ａ，３ｂ側にホースの口金２０，３０を配置し、ホース挿入口１１にホース本体４０を挿入した後、ホースを口金２０，３０が下になるように吊り下げ、係止リング部２がホース口金２０，３０により係止し、かつ外周保護リング部３ａ，３ｂがホース口金２０．３０を覆う状態で垂下される上記（１）〜（３）のいずれかのホースプロテクタ。
【考案の効果】
【００１１】
本考案のホースプロテクタは、軽量、簡単な構造で、しかも容易に装着でき、消防用ホースなど口金の付いた大径のホースが風などによる揺動で端末の口金が変形したり破損するのを防止することができるという利点がある。
【図面の簡単な説明】
【００１２】
【図１】図１は本考案のホースプロテクタの一実施例を示した正面図である。（実施例１）
【図２】図２は本考案のホースプロテクタの一実施例を示した図２は平面図である。（実施例１）
【図３】図３は本考案のホースプロテクタの一実施例を示した斜視図である。（実施例１）
【図４】図４は本考案のホースプロテクタの使用状態を示す斜視図である。（実施例１）
【図５】図５は本考案のホースプロテクタの他の使用状態を示す斜視図である。（実施例１）
【考案を実施するための形態】
【００１３】
本考案のホースプロテクタは、例えば図１に示すように、本体の端末に金属の口金を有するホースの保護具であり、概ね円形であってホース口金外周部より大径で一部に第１の開口部７を有する外周保護リング部３ａ，３ｂと、概ね円形であってホース口金の最大直径より小径で一部に第２の開口部８を有する係止リング部２とを有し、前記第１の開口部７と第２の開口部８とが連続してホース挿入口１１を形成し、かつこのホース挿入口１１の大きさはホース本体が通過でき口金が通過できない大きさに設定されているものである。
【００１４】
このように、最も簡単には外周保護リング部と係止リング部という２つの基本構成要素だけで構成できるので、構造が簡単である。また、ホース挿入口を通して容易にホースの着脱が可能であり、取り扱いも簡単で便利である。
【００１５】
前記外周保護リング部と係止リング部を構成する部材としては、所定の強度を有し、加工が比較的容易な材料であれば特に限定されるものではない。例えば、アルミニウム、鉄、ステンレス鋼、黄銅、銅等の金属や合金類、塩化ビニール、アクリル、ポリプロピレン、ＰＥＴ、ＰＶ、フッ素系樹脂等の合成樹脂類の１種または２種以上、木、竹などの天然材料などが挙げられるが、量産性、耐久性の点から金属材料または合成樹脂材料あるいはこれらを合わせて用いた材料が好ましい。特に、棒状の金属を折曲加工したり、棒状に鋳造した金属により形成することで、強度と軽量化と経済性とを兼ね備えることができる。また、一部、もしくは全部に樹脂材料を用いることで、口金への衝撃を和らげたり、保護する機能を高めることができる。樹脂材料は強度に劣るものの腐食に強いという利点がある。
【００１６】
また、前記外周保護リング部は、少なくとも２つの環状の金属棒体により形成するとよい。環状の金属棒体単体では、口金の保護が不十分となるため、口金の上下をそれぞれ保護するように、口金の上端と下端付近に２つの環状金属棒を配置するとよい。また、前記外周保護リング部の外周部、特に回転対称位置の数カ所から鉛直方向に延在する垂下用枠体を有するとよい。この垂下用枠体は、ホースが吊り下げられたときに口金に係止した外周保護リング部から下向きに吊り下げられ、垂下されるようになっている。このような垂下用枠体を設けることで、口金の特にホース本体とは反対方向での保護機能が増し、ホースプロテクタの重心が下がり、ホースとの係止状態が安定する。また、垂下用枠体に重りや紐を取り付けることで、さらにホースの揺動を抑制し、ホースの挙動を安定させることができる。
【００１７】
外周保護リング部は、上記のようにホース口金外周部に則した形状で、概ね円形であり、ホース口金より大径である。外周保護リング部の大きさはホース口金より大きければよいが、好ましくはその直径が口金の最大径の１０〜５０％程度大きく、より好ましくは口金の最大径の２０〜３０％程度大きくするとよい。また、係止リング部はホース口金内周部に則した形状で、概ね円形であり、ホース口金の最大直径より小径である。その大きさはホース口金より小さければよいが、好ましくはその直径が口金の最大径の５〜３０％程度小さく、より好ましくは口金の最大径の１０〜２０％程度小さくするとよい。
【００１８】
さらに、外周保護リング部はその一部に第１の開口部を有し、係止リング部は、その一部に第２の開口部を有する。これら第１の開口部と第２の開口部とは一体として連続した開口部を形成してホース挿入口を構成する。そして、ホース挿入口には布製のホース本体が挿入される。このため第１の開口部と第２の開口部は、ホース本体が通過できる程度の大きさに開口していることが必要である。通常は、外周保護リング部と係止リング部の円中心から扇状に開口するように形成されている。
【００１９】
本考案が好ましく使用される消防ホースは、管状の織物からなるジャケットの内面にゴム又は合成樹脂からなる被覆層を設け、この被覆層によって液密性を確保するようにしているものである。また、その端部には連結金具やノズルなどの口金が設けられて端末処理されている。連結金具は、現場で必要な長さに連結されたり、吸水口に繋いだりするときに用いられ、ノズルは放水口として機能し、通常、放水停止、棒状放水、及び噴霧放水の３パターンに切り換える機能を有する。
【００２０】
本考案のホースプロテクタは、前記外周保護リング部側にホースの口金を配置し、ホース挿入口にホース本体を挿入した後、ホースを口金が下になるように吊り下げ、係止リング部がホース口金により係止し、かつ外周保護リング部がホース口金を覆う状態で垂下される。
【実施例１】
【００２１】
次に図を参照しつつ本考案より具体的な構成について詳細に説明する。図１〜３は、本考案のホースプロテクタの一実施例を示したもので、図１は正面図、図２は平面図、図３は斜視図である。
【００２２】
図において、ホースプロテクタは、概ね円形であってホース口金外周部より大径で一部に第１の開口部を有する外周保護リング部３ａ，３ｂと、概ね円形であってホース口金の最大直径より小径で一部に第２の開口部を有する係止リング部２とを有する。この例では、外周保護リング部３ａ，３ｂと係止リング部２とは棒状の金属で形成されている。これらの構造物を形成する手法としては、予め棒状体の金属を折曲し、溶接等してもよいが、鋳造により形成する方が容易に形成でき、量産にも有利である。また、外周保護リング部３ａ，３ｂは、２つの環状の金属棒体により形成され、口金部分を覆うような大きさと位置に形成・配置されている。
【００２３】
外周保護リング部３ａ，３ｂは、第１の開口部７を有し、係止リング部２は第２の開口部８を有する。これらは一体となった開口部であるホース挿入口１１を形成している。また、２つの外周保護リング部３ａ，３ｂの開口端と係止リング部２の開口端は、連結部３ｃにより連結され一体となり、前記ホース挿入口１１を形成するようになっている。この連結部３ｃは、外周保護リング部３ａ，３ｂと係止リング部２を連結して１つの構造物にする機能も有する。
【００２４】
さらに、外周保護リング部３ａ，３ｂの外周部からその円環面の鉛直方向に延在するように垂下用枠体４、６が形成されている。この垂下用枠体４、６によりホース落下時やホースが激しく揺動したときにも口金を保護することができる。また、ホースプロテクタの重心が下がるので装着状態が安定する。この垂下用枠体４、６は、外周保護リング部３ａ，３ｂの円対称位置から延在した２つの腕部４ａ，４ｂがコ（U）字状に連結するように形成された第１の垂下用枠体４と、前記２つの腕部４ａ，４ｂの形成された中間位置から延在して、第１の垂下用枠体４に連結する第２の垂下用枠体６とを有する。つまり、前記ホース挿入口１１に対してそれぞれ１／４の回転対称位置から延在するようにして形成されている。
【００２５】
前記第１の垂下用枠体４の外周保護リング部３ａ，３ｂの中心部に対応する位置には、環状部５が形成されていて、垂下用枠体４，６にホースの揺動を抑制し、ホースの挙動を安定させるための重りや紐を取り付けることができるようになっている。
【００２６】
前記第１の垂下用枠体４の２つの腕部４ａ，４ｂと第２の垂下用枠体６の腕部６ａは、それぞれ２つの外周保護リング部３ａ，３ｂを連結すると共に、第１の外周保護リング部３ａから内径方向に延在して係止リング部２にも接続している。これにより、第１の垂下用枠体４と第２の垂下用枠体６によりさらに外周保護リング部３ａ，３ｂと係止リング部２とが連結され、補強されるようになっている。
【００２７】
次に、このようなホースプロテクタの使用方法について説明する。図４，５は本考案のホースプロテクタの使用状態を示す斜視図であり、それぞれ異なった口金における使用状態を示している。
【００２８】
〔第１の態様〕
図４において、先ず、外周保護リング部側にホースの口金２０を配置し、ホース挿入口１１にホース本体４０を挿入する。ホース本体４０は布製であり、容易に挿入することができる。その後、ホースプロテクタをホース先端方向に移動させると、口金先端部２３の後方にある中間部２２後部に形成されたフランジ状の拡径部２１の外径が係止リング部２より大きいため、この部分で引っかかるようにして係止する。そして、ホース４０を口金２０が下になるように吊り下げると、そのまま係止リング部２が口金拡径部２１により係止状態が維持される。そして、外周保護リング部３ａ，３ｂはホース口金２０を覆う状態で吊り下げられ、垂下され、口金２０が保護される。
【００２９】
〔第２の態様〕
図５において、図４同様に、外周保護リング部側にホースの口金３０を配置し、ホース挿入口１１にホース本体４０を挿入する。その後、ホースプロテクタをホース先端方向に移動させると、口金先端部３３の後方にある封止部材３２後部に形成された拡径部３１の外径が係止リング部２より大きいため、上記同様に係止する。そして、ホース４０を口金３０が下になるように吊り下げると、そのまま係止リング部２が口金拡径部３１により係止状態が維持される。その他の構成は図４と同様であるので説明を省略する。
【００３０】
本考案のホースプロテクタは、上記実施例に限定されるものではなく、種々のホースに応用可能である。また、その材質や形状も本考案の趣旨を逸脱しない範囲において変更可能である。
【産業上の利用可能性】
【００３１】
本考案は、消防署、自警団、学校、公民館、集会所等の公共施設、オフィスビル、工場等の消防設備に使用される消火用ホース等、本体が布製あるいは合成樹脂製で端末に金属製の口金を有するホースの保護に好適に使用される。このホースプロテクタは、構造が簡単で、着脱が容易であり、量産にも適して安価に製造できるので極めて有用である。
【符号の説明】
【００３２】
１    ホースプロテクタ
２    係止リング部
３ａ，３ｂ  外周保護リング
４    第１の垂下用枠体
４ａ，４ｂ  腕部
５    環状部
６    第２の垂下用枠体
７    第１の開口部
８    第２の開口部
１１    ホース挿入口
２０，３０  口金
４０    ホース本体
【図１】
0003149608.tif 000003
【図２】
0003149608.tif 000004
【図３】
0003149608.tif 000005
【図４】
0003149608.tif 000006
【図５】
0003149608.tif 000007